(57)【要約】【課題】小型の構成で、広い撮像領域の全域で収差を補正可能な撮像光学系および撮像装置を提供すること【解決手段】プレパラート１０ａの拡大像を形成する１次結像光学系２０と、１次結像光学系の像面からの光を撮像素子４０、６０に再結像する２次結像光学系３０、５０と、前記２次結像光学系に含まれるレンズ３１、３３、５１、５３を駆動して収差を変更する駆動手段３１ａ、３３ａ、５１ａ、５３ａと、を有する撮像光学系を有する。【選択図】図１
2014048423.tif 000002
【特許請求の範囲】
【請求項１】
被撮像物の拡大像を形成する１次結像光学系と、
前記１次結像光学系の像面からの光を撮像素子に再結像する２次結像光学系と、
前記２次結像光学系に含まれる光学素子を駆動して収差を変更する駆動手段と、
を有することを特徴とする撮像光学系。
【請求項２】
前記１次結像光学系の前記像面の近傍に配置され、光路を偏向する光路偏向手段を更に有することを特徴とする請求項１に記載の撮像光学系。
【請求項３】
前記拡大像の異なる領域をそれぞれ再結像する複数の２次結像光学系が設けられることを特徴とすることを特徴とする請求項１または２に記載の撮像光学系。
【請求項４】
前記光学素子は第１レンズを有し、前記駆動手段は前記第１レンズを前記撮像光学系の光軸方向に駆動することを特徴とする請求項１乃至３のうちいずれか１項に記載の撮像光学系。
【請求項５】
前記光学素子は第２レンズを有し、前記駆動手段は前記第２レンズを前記撮像光学系の光軸に垂直に駆動することを特徴とする請求項１乃至４のうちいずれか１項に記載の撮像光学系。
【請求項６】
前記光学素子は平行平面板を有し、前記駆動手段は前記平行平面板を前記撮像光学系の光軸に垂直な軸の周りに傾けることを特徴とする請求項１乃至５のうちいずれか１項に記載の撮像光学系。
【請求項７】
前記光学素子はアルバレツレンズを有し、前記駆動手段は前記アルバレツレンズを構成する２つの光学素子を前記撮像光学系の光軸に垂直な逆方向に移動させることを特徴とする請求項１乃至５のうちいずれか１項に記載の撮像光学系。
【請求項８】
請求項１乃至７のうちいずれか１項に記載の撮像光学系と、
前記撮像光学系が形成した光学像を光電変換する撮像素子と、
を有することを特徴とする撮像装置。
【請求項９】
前記撮像光学系の駆動手段は前記撮像素子を前記撮像光学系の光軸方向に移動することを特徴とする請求項８に記載の撮像装置。
【請求項１０】
前記撮像光学系の駆動手段は前記撮像素子を前記撮像光学系の光軸に垂直な軸の周りに傾けることを特徴とする請求項８または９に記載の撮像装置。
【請求項１１】
前記撮像装置の駆動手段による駆動量を決定する制御手段を更に有することを特徴とする請求項８乃至１０のうちいずれか１項に記載の撮像装置。
【請求項１２】
請求項８乃至１１のうちいずれか１項に記載の撮像装置と、
被撮像物の面形状を計測する計測手段と、
を有し、
前記撮像装置の制御手段は前記計測手段の計測結果に基づいて前記撮像装置の駆動手段による駆動量を決定することを特徴とする撮像システム。
【発明の詳細な説明】
【技術分野】
【０００１】
本発明は、試料（標本）の顕微鏡画像を撮像する撮像光学系、撮像装置および撮像システムに関する。
【背景技術】
【０００２】
標本の顕微鏡画像を撮像する顕微鏡システムでは、標本は、スライドガラス上に配置されて透明な保護部材（カバーガラス）によって挟まれたプレパラートとして顕微鏡に搭載される。広い視野に対して高解像度化を進めると焦点深度が浅くなるために合焦が難しくなる。この結果、標本やカバーガラスの厚さムラ、表面形状の凹凸などによって標本の表面（又はそれに沿った面）全域に合焦させることが困難になる。
【０００３】
特許文献１は、標本のカバーガラスの厚さの誤差に応じて、補正環を回転することにより一部のレンズを光軸方向に移動させて、球面収差を補正できる対物レンズを提案している。特許文献２は、自動でレンズを光軸方向に駆動して球面収差を補正する顕微鏡システムを提案している。特許文献３は、標本の凹凸を検出して合焦する方法を提案している。
【先行技術文献】
【特許文献】
【０００４】
【特許文献１】特開２０１０−４８８４１号公報
【特許文献２】特開２０１１−９５６８５号公報
【特許文献３】特開２０１１−２０９５７３号公報
【発明の概要】
【発明が解決しようとする課題】
【０００５】
特許文献１〜３は、いずれも、標本に凹凸がある場合の、撮像領域内の収差を補正できないため、広い撮像領域の全域で良好に収差を補正するには十分ではない。そして、この補正には、顕微鏡の大型化を防止するために、小型の構成が求められる。
【０００６】
本発明は、小型の構成で、広い撮像領域の全域で収差を補正可能な撮像光学系、撮像装置および撮像システムを提供することを例示的な目的とする。
【課題を解決するための手段】
【０００７】
本発明の撮像光学系は、被撮像物の拡大像を形成する１次結像光学系と、前記１次結像光学系の像面からの光を撮像素子に再結像する２次結像光学系と、前記２次結像光学系に含まれる光学素子を駆動して収差を変更する駆動手段と、を有することを特徴とする。
【発明の効果】
【０００８】
本発明によれば、小型の構成で、かつ、広い撮像領域の全域で収差を補正可能な撮像光学系、撮像装置および撮像システムを提供することができる。
【図面の簡単な説明】
【０００９】
【図１】本発明の顕微鏡システムのブロック図である。（実施例１）
【図２】本発明の顕微鏡システムのブロック図である。（実施例２）
【図３】本発明の顕微鏡システムのブロック図である。（実施例３）
【図４】本発明の顕微鏡システムのブロック図である。（実施例４）
【図５】本発明の顕微鏡システムのブロック図である。（実施例５）
【発明を実施するための形態】
【００１０】
以下、添付図面を参照して、本発明の実施例について説明する。
【実施例１】
【００１１】
図１は、実施例１の顕微鏡システム（撮像システム）のブロック図である。顕微鏡システムは、撮像装置と計測手段９２から構成される。撮像装置は、人体の組織片等からなる標本の顕微鏡画像を撮像し、計測手段９２は標本の面形状（うねり）を計測（推定も含む）する。計測手段９２は、カバーガラスやスライドガラスの厚さ、標本の凹凸に起因する収差を計測してもよい。制御手段８０は、計測手段９２から計測結果を取得する。
【００１２】
撮像装置は、光源１２、照明光学系１４、プレパラート１０ａ、撮像光学系、撮像素子（イメージセンサ）４０、６０、画像処理手段７０、制御手段８０、操作手段９０を有する。撮像光学系は、１次結像光学系２０、駆動手段、ミラー（光路偏向手段）２１、２２、２次結像光学系３０、５０を有する。
【００１３】
プレパラート（標本、被撮像物）１０ａは、スライドガラス１ａ、封入剤２ａ、カバーガラス３ａ、試料４ａを有する。プレパラート１０ａは、１次結像光学系２０の物体面位置またはその近傍に配置されている。プレパラート１０ａに収納された試料４ａは場所によって厚みのムラがあるため、プレパラート表面のカバーガラス３ａは、場所によって凹凸に湾曲している。
【００１４】
照明光学系１４は、３軸方向に移動可能で各軸周りの回転可能に構成されている不図示のステージに搭載されているプレパラート１０ａを光源１２からの光によって照明する。なお、本実施例では、光源１２と照明光学系１４はプレパラート１０ａの下に配置されているが、その位置は問わない。即ち、光源１２と照明光学系１４がカバーガラス３ａ側に配置され、１次結像光学系２０がスライドガラス１ａ側に配置されてもよい。又は落射照明となるように、光源１２、照明光学系１４、１次結像光学系２０が、ともにスライドガラス１ａ側に配置されてもよい。
【００１５】
１次結像光学系２０は、標本（試料４ａ）の拡大像を形成する。１次結像光学系２０は、広視野かつ高解像の対物レンズで、図１には屈折系のように示しているが、高ＮＡ（開口数）の反射屈折型の共軸光学系であってもよく、特に限定されない。
【００１６】
ミラー２１、２２は、１次結像光学系２０の像面位置またはその近傍に配置され、１次結像光学系２０の像面の領域を２分割して、それぞれ、左側と右側に光路を反射・偏向する。ミラー２１、２２によって光路を偏向することによって、光学系の機械的干渉を減らし、小型化を図ることができる。また、ミラーによって像面の必要な領域を選択することができる。必要なミラー２１の左側には２次結像光学系３０が配置され、ミラー２２の右側には２次結像光学系５０が配置される。なお、ここでいう「２分割」は重なり部分のない２つの半分の領域でなくてもよい。例えば、ミラー２１、２２の機械的干渉のために、両ミラーが反射する像を合わせた領域は像面の領域よりも小さくてもよい。
【００１７】
２次結像光学系３０は、ミラー２１によって反射された拡大像（１次結像光学系２０の像面からの光）を撮像素子４０に再結像し、レンズ３１〜３３を有する。２次結像光学系５０は、ミラー２２によって反射された拡大像を撮像素子６０に再結像し、レンズ５１〜５３を有する。撮像素子４０、６０は、２次結像光学系３０、５０の像面位置またはその近傍に配置され、光学像を光電変換する光電変換素子（ＣＣＤ、ＣＭＯＳなど）から構成される。２次結像光学系３０、５０は、同一の光学素子を有し、これらを光路に沿って同一の順番で配置している。
【００１８】
レンズ（第１レンズ）３１と３３は、駆動手段３１ａ、３３ａによって撮像光学系の光軸方向に移動（駆動）可能に構成され、それによって球面収差を変化させることができる。レンズ（第１レンズ）５１と５３は、駆動手段５１ａ、５１ｂによって光軸方向に移動（駆動）が可能になっており、それによって球面収差を変化させることができる。撮像素子４０と６０は、駆動手段４０ａ、６０ａによって光軸方向への駆動が可能になっており、フォーカス位置のずれを補正することができる。駆動手段はステッピングモータ、ＶＣＭなどの周知の駆動手段を使用することができる。
【００１９】
本実施例では、ミラー、２次結像光学系、撮像素子の数は複数（２つ）であるが、１つでもよいし、３つ以上としてもよい。例えば、像面の領域を４分割、６分割、９分割してもよい。１次結像光学系の像面の領域を分割する数を増やすことにより、より良好な結像性能で広視野にわたる撮像が可能になる。また、２次結像光学系のレンズの数も限定されない。
【００２０】
一般に、１次結像光学系２０よりも２次結像光学系３０、５０の構成の方が小型であるため、１次結像光学系に駆動可能（移動可能）な光学素子と駆動手段を設けるよりも２次結像光学系に設ける方が撮像装置を小型にすることができる。また、倍率を変更したい場合に２次結像光学系の光学素子だけを交換すれば足りるというメリットもある。
【００２１】
動作において、光源１２と照明光学系１４によってプレパラート１０ａが照明され、試料４ａから射出した光束は１次結像光学系２０を通過して、ミラー２１と２２の近傍に拡大像を形成する。１次結像光学系２０が形成した拡大像の左側領域はミラー２１で反射され、２次結像光学系３０を通過し、２次結像光学系３０の像面またはその近傍に配置された撮像素子４０上に再結像する。１次結像光学系２０が形成した拡大像の右側領域はミラー２２で反射され、２次結像光学系５０を通過し、２次結像光学系５０の像面またはその近傍に配置された撮像素子６０上に再結像する。
【００２２】
試料４ａに凹凸があることから、１次結像光学系２０から試料４ａまでの物体距離が場所によって異なる。このため、初期状態のままでは試料４ａを観察する場所によって異なる球面収差が発生する。この球面収差は、単にフォーカスを合わせだけでは補正することができず、結像性能が劣化する。
【００２３】
そこで、レンズ３１と３３を光軸方向に移動させることによって、撮像素子４０に結像する像の球面収差を補正する。また、撮像素子４０を光軸方向に移動させることにより、フォーカス位置のずれも補正する。レンズ５１と５３についてもそれらを光軸方向に移動させることによって、撮像素子６０に結像する像の球面収差を補正する。また、撮像素子６０を光軸方向に移動させることにより、フォーカス位置のずれも補正する。本実施例では、レンズ３１、３３の移動量とレンズ５１、５３の移動量を異ならせることができ、また、撮像素子４０、６０のそれぞれの移動量を異ならせることができ、プレパラート１０ａの左右で物体距離が異なる場合に対応することができる。
【００２４】
制御手段８０は、顕微鏡システムの各部の動作を制御し、プロセッサ（マイクロコンピュータ）から構成される。例えば、制御手段８０は、計測手段９２の計測結果に基づいて、駆動手段による、レンズ３１、３３、５１、５３、撮像素子４０、６０の移動量（駆動量）を決定する。あるいは、制御手段８０は、ユーザが操作手段９０を介して入力したデータに基づいて上記移動量を決定してもよい。
【００２５】
計測手段９２は低解像度でよいが広域に組織片全体を撮像する撮像光学系を用いてもよい。標本に含まれる観察対象物の大きさは標本像の輝度分布などより二値化や輪郭検出などの一般的な手法によって算出することができる。表面形状の計測の手段としては、反射光を測定してもよいし、干渉計を用いてもよい。例えば、特開平６−０１１３４１号公報に開示された三角測量法を応用した光学式距離測定方法や特開２００５−９８８３３号公報に開示がされた共焦点光学系を用いてガラス境界面で反射するレーザー光の距離の差を測定する方法がある。また、計測手段９２はレーザー干渉計などによりカバーガラス３ａの厚さを計測する機能を有する。
【００２６】
ミラー２１、２２によって分割された領域を合わせたものが像面の領域の全体に足りなければプレパラート１０ａを搭載しているステージを駆動して再度撮像を行う。撮像素子４０、６０からのアナログ信号（電気信号）は不図示のＡ／Ｄ変換手段を介してデジタル信号に変換され、画像処理手段７０において各種の処理が施されると共に一枚の画像に合成され、不図示のメモリ（記憶手段）に格納される。
【００２７】
以上、本実施例によれば、小型の構成で、広視野にわたって良好な結像性能で撮像することができる。
【実施例２】
【００２８】
図２は、実施例２の顕微鏡システムのブロック図である。図２においては、図１と同一部材は同一番号を付している。図２の顕微鏡システムの構成は、プレパラレートを除いて図１の顕微鏡システムと同一の構成である。
【００２９】
図２において、１ｂはスライドガラス、２ｂは封入剤、３ｂはカバーガラス、４ｂは試料であって、１ｂ〜４ｂで、プレパラート１０ｂを構成している。プレパラート１０ｂは、１次結像光学系２０の物体面位置またはその近傍に配置されている。試料４ｂは場所によって厚みのムラがある。プレパラート表面のカバーガラス３ｂは平面を保っているが、カバーガラス３ｂから試料４ｂまでの距離が場所によって異なるため、初期状態のままでは試料４ｂを観察する場所によって異なる球面収差が発生し、結像性能の劣化をもたらす。
【００３０】
そこで、実施例１と同様に、レンズ３１、３３、５１、５３を光軸方向に移動させることによって、撮像素子４０、６０に結像する像の球面収差を補正する。また、撮像素子４０、６０を光軸方向に移動させることにより、フォーカス位置のずれも補正する。図２のようにプレパラート１０ｂの左右でカバーガラス３ｂから試料４ｂまでの距離が異なる場合には、２次結像光学系のレンズや撮像素子の駆動量は左側と右側では異なる値となる。
【００３１】
以上、本実施例によれば、小型の構成で、広視野にわたって良好な結像性能で撮像することができる。
【実施例３】
【００３２】
図３は、実施例３の顕微鏡システムのブロック図である。図３においては、図１と同一部材は同一番号を付している。図３の顕微鏡システムの構成は、プレパラレート、２次結像光学系、撮像素子を除いて図１の顕微鏡システムと同一の構成である。
【００３３】
１３０と１５０は２次結像光学系、１３１〜１３３と１５１〜１５３はレンズ、１３４と１５４は平行平面板（平行平板）、１４０と１６０は２次光学系１３０と１５０の像面位置またはその近傍に配置された撮像素子である。また、１ｃはスライドガラス、２ｃは封入剤、３ｃはカバーガラス、４ｃは試料であって、１ｃ〜４ｃで、プレパラート１０ｃを構成している。
【００３４】
プレパラート１０ｃは、１次結像光学系の物体面位置またはその近傍に配置されている。試料４ｃは場所によって、図３に示すように傾斜状の厚みのムラがあるため、プレパラート表面のカバーガラス３ｃは傾斜している。
【００３５】
ミラー２１の左側には２次結像光学系１３０が配置され、１次結像光学系２０で形成される像の左側を撮像素子１４０上に再結像する。また、ミラー２２の右側には２次結像光学系１５０が配置され、１次結像光学系２０で形成される像の右側を撮像素子１６０上に再結像する。
【００３６】
レンズ（第１レンズ）１３１、１３３、１５１、１５３は、駆動手段１３１ａ、１３３ａ、１５１ａ、１５３ａによって光軸方向に移動可能に構成され、それによって球面収差を変化させることができる。レンズ（第２レンズ）１３２は、駆動手段１３２ａによって光軸に垂直な方向に移動可能に構成され、それによって２次結像光学系１３０の視野中心（軸上）でのコマ収差を変化させることができる。同様に、レンズ（第２レンズ）１５２は、駆動手段１５２ａによって光軸に垂直な方向に移動可能に構成され、それによって２次結像光学系１５０の視野中心でのコマ収差を変化させることができる。平行平面板１３４は、駆動手段１３４ａによって光軸と垂直な軸の周りに回転可能（傾斜可能）に構成され、それによって２次結像光学系１３０の視野中心（軸上）での非点収差を変化させることができる。同様に、平行平面板１５４は、駆動手段１５４ａによって光軸と垂直な軸の周りに回転可能に構成され、それによって２次結像光学系１３０の視野中心での非点収差を変化させることができる。このように、本実施例では、球面収差、コマ収差および非点収差を同時に補正することができる。
【００３７】
撮像素子１４０と１６０は、駆動手段１４０ａ、１６０ａによって、光軸方向に移動可能に構成されてフォーカス位置のずれを補正することができる。また、撮像素子１４０と１６０は、駆動手段１４０ａ、１６０ａによって、光軸と垂直な軸の周りに回転可能（傾斜可能）に構成されて２次結像光学系の像面の傾きを補正することができる。
【００３８】
プレパラート１０ｃの試料４ｃに傾斜があることから、１次結像光学系２０から試料４ｃまでの物体距離が場所によって異なる。このため、初期状態のままでは試料４ｃを観察する場所によって異なる球面収差が発生し、結像性能が劣化する。そこで、実施例１と同様に、レンズ１３１、１３３、１５１、１５３を光軸方向に移動させることによって、撮像素子１４０、１６０に結像する像の球面収差を補正する。また、撮像素子１４０、１６０を光軸方向に移動させることにより、フォーカス位置のずれも補正する。
【００３９】
また、試料４ｃの傾斜によって、カバーガラス３ｃが１次結像光学系２０の光軸に対して傾斜するため、撮像素子１４０と１６０に結像する像にコマ収差と非点収差が視野中心（軸上）でも発生する。そこで、レンズ１３２、１５２を光軸と垂直方向に移動させて軸上のコマ収差を補正し、平行平面板１３４、１５４を光軸と垂直な軸の周りに傾けることにより軸上の非点収差を補正する。また、撮像素子１４０と１６０の近傍での像の傾きに応じて、撮像素子１４０と１６０を光軸と垂直な軸の周りに傾けることにより像の傾きを補正する。
【００４０】
以上、本実施例によれば、小型の構成で、広視野にわたって良好な結像性能で撮像することができる。
【実施例４】
【００４１】
図４は、実施例４の顕微鏡システムのブロック図である。図４においては、図１と同一部材は同一番号を付している。図４の顕微鏡システムの構成は、プレパラレート、２次結像光学系、撮像素子を除いて図１の顕微鏡システムと同一の構成である。
【００４２】
２３０と２５０は２次結像光学系、２３１〜２３３と２５１〜２５３はレンズ、２３４、２３５と２５４、２５５は平行平面板（平行平板）、２４０と２６０は２次光学系２３０と２５０の像面位置またはその近傍に配置された撮像素子である。また、１ｄはスライドガラス、２ｄは封入剤、３ｄはカバーガラス、４ｄは試料であって、１ｄ〜４ｄで、プレパラート（標本）１０ｄを構成している。
【００４３】
プレパラート１０ｄは、１次結像光学系の物体面位置またはその近傍に配置されている。試料４ｄは場所によって、図４に示すように傾斜状の厚みのムラがあるため、封入剤２ｄがカバーガラス３ｄと試料４ｄの間に入り込み、楔形の形状になっている。
【００４４】
ミラー２１の左側には２次結像光学系２３０が配置され、１次結像光学系２０で形成される像の左側を撮像素子２４０上に再結像する。また、ミラー２２の右側には２次結像光学系２５０が配置され、１次結像光学系２０で形成される像の右側を撮像素子２６０上に再結像する。
【００４５】
レンズ２３１、２３３、２５１、２５３は、駆動手段２３１ａ、２３３ａ、２５１ａ、２５３ａによって光軸方向に移動可能に構成され、それによって球面収差を変化させることができる。レンズ２３２、２５２は、レンズ１３２、１５２と同様に、駆動手段２３２ａ、２５２ａによって光軸に垂直な方向に移動可能に構成され、それによって２次結像光学系１３０の視野中心（軸上）でのコマ収差を変化させることができる。平行平面板２３４、２３５、２５４、２５５は、平行平面板１３４、２５４と同様に、駆動手段２３４ａ、２３５ａ、２５４ａ、２５５ａによって光軸と垂直な軸の周りに回転可能（傾斜可能）に構成されている。それによって、２次結像光学系２３０、２５０の視野中心（軸上）での非点収差を変化させることができる。
【００４６】
撮像素子２４０と２６０は、駆動手段２４０ａ、２６０ａによって、光軸方向に移動可能に構成されてフォーカス位置のずれを補正することができる。また、撮像素子２４０と２６０は、駆動手段２４０ａ、２６０ａによって、光軸と垂直な軸の周りに回転可能（傾斜可能）に構成されて２次結像光学系の像面の傾きを補正することができる。
【００４７】
プレパラート１０ｄの試料４ｄに傾斜があることから、１次結像光学系２０から試料４ｄまでの光路長が場所によって異なる。このため、初期状態のままでは試料４ｄを観察する場所によって異なる球面収差が発生し、結像性能が劣化する。そこで、実施例３と同様に、レンズ２３１、２３３、２５１、２５３を光軸方向に移動させることによって、撮像素子２４０、２６０に結像する像の球面収差を補正する。また、撮像素子２４０、２６０を光軸方向に移動させることにより、フォーカス位置のずれも補正する。
【００４８】
また、試料４ｄに傾斜があるため、封入剤２ｄがカバーガラス３ｄと試料４ｄの間に入り込み、楔形の形状になっている。これによって、撮像素子２４０と２６０に結像する像にコマ収差と非点収差が視野中心（軸上）でも発生する。そこで、レンズ２３２、２５２を光軸と垂直方向に移動させて軸上のコマ収差を補正し、平行平面板２３４、２３５、２５４、２５５を光軸と垂直な軸の周りに傾けることにより軸上の非点収差を補正する。また、撮像素子２４０と２６０の近傍での像の傾きに応じて、撮像素子２４０と２６０を光軸と垂直な軸の周りに傾けることにより像の傾きを補正する。
【００４９】
以上、本実施例によれば、小型の構成で、広視野にわたって良好な結像性能で撮像することができる。
【実施例５】
【００５０】
図５は、実施例５の顕微鏡システムのブロック図である。図５においては、図４と同一部材は同一番号を付している。図５の顕微鏡システムの構成は、平行平面板２３４、２３５の代わりにアルバレツレンズ２３６を使用し、平行平面板２５４、２５５の代わりにアルバレツレンズ２５６を使用している点を除いて図４の顕微鏡システムと同一の構成である。
【００５１】
アルバレツレンズ２３６は、一対の光学素子２３６ａと２３６ｂから構成され、２枚の光学素子２３６ａ、２３６ｂは、駆動手段２３６ｃ、２３６ｄによって光軸と垂直な方向に逆方向に同じ量だけ移動可能に構成されている。これにより、２次結像光学系２３０Ａの視野中心（軸上）での非点収差を変化させることが可能になっている。同様に、アルバレツレンズ２５６は、一対の光学素子２５６ａと２５６ｂから構成され、２枚の光学素子２５６ａ、２５６ｂは、駆動手段２５６ｃ、２５６ｄによって光軸と垂直な方向に逆方向に同じ量だけ移動可能に構成されている。これにより、２次結像光学系２５０Ａの視野中心（軸上）での非点収差を変化させることが可能になっている。アルバレツレンズ２３６、２５６は平行平面板２３４、２３５、２５４、２５５と同様の効果を有するが、光軸方向の小型化をもたらす。
【００５２】
以上、本発明の好ましい実施例について説明したが、本発明はこれらの実施例に限定されないことはいうまでもなく、その要旨の範囲内で種々の変形、及び、変更が可能である。
【産業上の利用可能性】
【００５３】
本発明は、顕微鏡システムの分野に適用可能である。
【符号の説明】
【００５４】
１０ａ〜１０ｄ…プレパラート（被撮像物、標本）、２０…１次結像光学系、３０、５０、１３０、１５０、２３０、２３０Ａ、２５０、２５０Ａ…２次結像光学系、３１ａ、３３ａ、５１ａ、５３ａ、１３１ａ〜１３４ａ、１５１ａ〜１５４ａ、２３１ａ〜２３６ｄ、２５１ａ〜２５６ｄ…駆動手段
【図１】
2014048423.tif 000003
【図２】
2014048423.tif 000004
【図３】
2014048423.tif 000005
【図４】
2014048423.tif 000006
【図５】
2014048423.tif 000007